(57)【要約】【課題】汎用的なアナログ減衰器を用いた場合でも高品質の音声出力を可能とする音声調整装置を提供する。【解決手段】ＶＲ１，ＶＲ２，ＶＲ３が連動するアナログ減衰器１８において、ＶＲ１からのＲ信号のレベルを検波回路２４で検出し、ＶＲ２からのＬ信号のレベルを検波回路２６で検出してＣＰＵ２８に供給する。ＣＰＵ２８は、Ｒ信号とＬ信号の偏差をＶＲ３で検出された回転角毎に測定してメモリ３０に記憶しておく。ユーザがアナログ減衰器１８を操作した場合、操作時の回転角に対応する偏差をメモリ３０から読み出してＤＳＰ１０に指令する。ＤＳＰ１０では、ＣＰＵ２８からの指令に基づき、Ｒ信号とＬ信号の偏差を解消するようにＲ信号とＬ信号のレベルを演算により調整する。【選択図】        図１
2004221711.tif 000002
【特許請求の範囲】
【請求項１】
デジタル信号を処理するデジタル信号処理手段と、
前記デジタル信号処理手段からのデジタル信号をアナログ信号に変換するデジタルアナログ変換手段と、
前記デジタルアナログ変換手段からのＲ信号及びＬ信号をそれぞれ減衰して出力するアナログ減衰手段と、
を有する音量調整装置であって、
前記アナログ減衰手段での減衰量の偏差を記憶する記憶手段と、
前記記憶手段に記憶された前記減衰量の偏差に基づき、前記アナログ減衰手段が操作されたときの前記デジタル信号処理手段でのデジタル信号の減衰量を調整して前記偏差を抑制する制御手段と、
を有することを特徴とする音量調整装置。
【請求項２】
請求項１記載の装置において、
前記減衰量の偏差は、前記Ｒ信号と前記Ｌ信号との間の偏差であり、
前記制御手段は、前記デジタル信号処理手段でのデジタル信号の減衰量を調整して前記偏差を抑制することを特徴とする音量調整装置。
【請求項３】
請求項１記載の装置において、
前記減衰量の偏差は、前記Ｒ信号と前記Ｌ信号の理想減衰量からの偏差であり、
前記制御手段は、前記デジタル信号処理手段でのデジタル信号の減衰量を調整して前記偏差を抑制することを特徴とする音量調整装置。
【請求項４】
デジタル信号を処理するデジタルシグナルプロセッサと、
前記デジタルシグナルプロセッサからのデジタル信号をアナログ信号に変換するデジタルアナログコンバータと、
前記デジタルアナログコンバータからのＲ信号及びＬ信号を減衰する連動型アナログ減衰器と、
前記連動型アナログ減衰器における前記Ｒ信号及びＬ信号の、前記アナログ減衰器の操作量毎の偏差を記憶するメモリと、
前記連動型アナログ減衰器の操作量を検出する検出器と、
前記検出器で検出された前記操作量に対応する前記偏差を読み出し、前記アナログ減衰器の操作時に前記偏差を解消するように前記デジタルシグナルプロセッサにおける前記デジタル信号の減衰量を調整するコントローラと、
を有することを特徴とする音量調整装置。
【請求項５】
請求項４記載の装置において、
前記偏差は、前記アナログ減衰器がその可動範囲にわたって操作されたときの前記アナログ減衰器から出力された前記Ｒ信号とＬ信号との間のレベル差に基づき算出されたものであることを特徴とする音量調整装置。
【請求項６】
請求項４記載の装置において、
前記偏差は、前記アナログ減衰器がその可動範囲にわたって操作されたときの前記アナログ減衰器から出力された前記Ｒ信号とＬ信号の、所定の理想レベルからのレベル差に基づき算出されたものであることを特徴とする音量調整装置。
【発明の詳細な説明】
【０００１】
【発明の属する技術分野】
本発明は音量調整装置、特にアナログ減衰器の調整に関する。
【０００２】
【従来の技術】
従来より、デジタルオーディオ装置等のアナログ音声出力の音量を調整する方式として、アナログ減衰器（アナログボリューム）を用いる方式とデジタル減衰器（デジタルボリューム）を用いる方式がある。前者は、デジタルアナログコンバータＤＡＣからのアナログ信号のレベルを可変抵抗器ＶＲで調整するものである。後者は、ＤＡＣよりも前段のデジタル信号処理の段階で演算によりレベル調整するものである。近年では、ＤＡＣ用ＩＣにデジタル減衰機能を備え、ＣＰＵからの指令によりレベル調整するものが知られている。
【０００３】
デジタル減衰器を用いて音量調整する方式では、この機能を備えたＤＡＣを用いればよいので回路構成が簡単になる利点がある。しかしながら、デジタル減衰器で音量を絞る場合にはＤＡＣの量子化ビットの上位ビットを使用しないことになるので（レベルを１／２にするためには１ビットだけ下位にシフトすればよく、その分だけ上位ビットに空きが生じる）、音質的には不利となる。したがって、音質を重視する高級オーディオ機器等においては、アナログ減衰器を用いた音量調整が主に用いられる。
【０００４】
なお、以下に示す従来技術においては、デジタル減衰器とアナログ減衰器をともに用いて音量調整を行う技術が記載されている。デジタル減衰器で微調整を行い、アナログ減衰器で主調整を行うものである。
【０００５】
【特許文献１】
特開平９−１５３７４８号公報
【０００６】
【発明が解決しようとする課題】
アナログ減衰器を単独で、あるいは主として用いた場合、その性能が問題となる。アナログ減衰器の性能は、一般に最大減衰量と相互偏差で示される。最大減衰量は、アナログ減衰器（ＶＲ）を左に回しきって音量を絞ったときに入力信号をどの程度減衰することができるかを示すものである。相互偏差は、ステレオ機器の音量調整に２連ＶＲを使用した場合の、左右（Ｒ信号とＬ信号）の減衰量の偏差である。特に後者は音質に大きな影響を与えるが、相互偏差が例えば１ｄＢ程度と相互偏差の小さいＶＲはサイズが大きくかつ高価であるため、一般的ではない。
【０００７】
本発明の目的は、相互偏差が例えば３ｄＢ程度の汎用的なアナログ減衰器を用いた場合でも、相互偏差を抑制して高音質の出力を得ることができる音量調整装置を提供することにある。
【０００８】
【課題を解決するための手段】
本発明は、デジタル信号を処理するデジタル信号処理手段と、前記デジタル信号処理手段からのデジタル信号をアナログ信号に変換するデジタルアナログ変換手段と、前記デジタルアナログ変換手段からのＲ信号及びＬ信号をそれぞれ減衰して出力するアナログ減衰手段とを有する音量調整装置であって、前記アナログ減衰手段での減衰量の偏差を記憶する記憶手段と、前記記憶手段に記憶された前記減衰量の偏差に基づき、前記アナログ減衰手段が操作されたときの前記デジタル信号処理手段でのデジタル信号の減衰量を調整して前記偏差を抑制する制御手段とを有する。アナログ減衰手段に偏差が生じていても、デジタル信号処理手段でのデジタル信号の減衰量の調整により当該偏差が抑制されるため、汎用的なアナログ減衰器を用いた場合であっても偏差の少ない高品質の出力が可能となる。本発明では、アナログ減衰手段の偏差の範囲内でデジタル信号処理手段へのデジタル信号の減衰量が調整されるため、デジタル信号の品質低下は少ない。本発明では、基本的な減衰をアナログ減衰手段で行い、アナログ減衰手段の偏差をデジタル減衰手段で調整すると云うこともできる。アナログ減衰手段での減衰が主であるため、デジタル減衰手段を主とした場合のような品質低下を抑えることができ、かつ、アナログ減衰手段のみの場合の偏差問題も解消される。
【０００９】
前記減衰量の偏差の一例は、前記Ｒ信号と前記Ｌ信号との間の偏差であり、前記制御手段は、前記デジタル信号処理手段でのデジタル信号の減衰量を調整して前記偏差を抑制する。
【００１０】
また、前記減衰量の偏差の他の例は、前記Ｒ信号と前記Ｌ信号の理想減衰量からの偏差であり、前記制御手段は、前記デジタル信号処理手段でのデジタル信号の減衰量を調整して前記偏差を抑制する。
【００１１】
また、本発明は、デジタル信号を処理するデジタルシグナルプロセッサと、前記デジタルシグナルプロセッサからのデジタル信号をアナログ信号に変換するデジタルアナログコンバータと、前記デジタルアナログコンバータからのＲ信号及びＬ信号を減衰する連動型アナログ減衰器と、前記連動型アナログ減衰器における前記Ｒ信号及びＬ信号の、前記アナログ減衰器の操作量毎の偏差を記憶するメモリと、前記連動型アナログ減衰器の操作量を検出する検出器と、前記検出器で検出された前記操作量に対応する前記偏差を読み出し、前記アナログ減衰器の操作時に前記偏差を解消するように前記デジタルシグナルプロセッサにおける前記デジタル信号の減衰量を調整するコントローラとを有する。連動型アナログ減衰器に偏差が存在していても、デジタルシグナルプロセッサにおいてその偏差を抑制するように調整するため、連動型アナログ減衰器からは偏差の少ない高品質の信号が出力される。
【００１２】
本発明の１つの実施形態では、前記偏差は、前記アナログ減衰器がその可動範囲にわたって操作されたときの前記アナログ減衰器から出力された前記Ｒ信号とＬ信号との間のレベル差に基づき算出される。
【００１３】
また、本発明の他の実施形態では、前記偏差は、前記アナログ減衰器がその可動範囲にわたって操作されたときの前記アナログ減衰器から出力された前記Ｒ信号とＬ信号の、所定の理想レベルからのレベル差に基づき算出される。
【００１４】
本発明の音量調整装置は、デジタル信号を入力するデジタルオーディオ装置に広く適用することができる。
【００１５】
【発明の実施の形態】
以下、図面に基づき本発明の実施形態について説明する。
【００１６】
図１には、本実施形態に係る音量調整装置の回路構成図が示されている。デジタルシグナルプロセッサＤＳＰ１０は、音量調整装置の前段から供給されたデジタルオーディオ信号Ｓを入力し、所定の信号処理を行ってデジタルアナログコンバータＤＡＣ１２に出力する。なお、音量調整装置の前段がＤＡＴであれば信号Ｓはテープから再生されたデジタル信号であり、音量調整装置の前段がデジタルミキサであれば信号Ｓはマイク等からのアナログ入力をアナログデジタルコンバータＡＤＣで変換したデジタル信号である。また、ＤＳＰ１０は、デジタル信号を減衰するデジタル減衰機能を備え、その減衰量は後述するＣＰＵ２８からの指令により制御される。
【００１７】
ＤＡＣ１２は、ＤＳＰ１０から供給されたデジタル信号を２チャンネルのアナログ信号（Ｒ信号、Ｌ信号）に変換してローパスフィルタＬＰＦ１４及びローパスフィルタ１６に出力する。
【００１８】
ローパスフィルタＬＰＦ１４及びローパスフィルタＬＰＦ１６は、それぞれＲ信号、Ｌ信号に含まれるサンプリング周波数成分を除去してアナログ減衰器１８に出力する。
【００１９】
アナログ減衰器１８は３連のアナログ減衰器であり、ＶＲ１、ＶＲ２、及びＶＲ３を有する。ＶＲ１、ＶＲ２及びＶＲ３は電気回路的には独立しているが、部品としては一つであり、これらは連動して同時に動く。ローパスフィルタＬＰＦ１４からのＲ信号はＶＲ１に供給され、ローパスフィルタＬＰＦ１６からのＬ信号はＶＲ２に供給される。ＶＲ１及びＶＲ２は通常のアナログボリュームとして動作し、ボリューム回転角に対して抵抗値が所定の特性曲線に沿って変化する特性を有する。一方、ＶＲ３はボリューム回転角に対して抵抗値がリニアに変化する特性を有し、ボリューム回転角に応じた直流電圧信号を発生する。ＶＲ１はその有する特性曲線に従って減衰したＲ信号をアンプ２０に出力し、ＶＲ２もその有する特性曲線に従って減衰したＬ信号をアンプ２２に出力する。一方、ＶＲ３はボリューム回転角に応じた直流電圧信号をＣＰＵ２８に出力する。アナログ減衰器１８の回転角、すなわちＶＲ１、ＶＲ２、ＶＲ３の回転角は操作者の操作量により決定される。
【００２０】
アンプ２０，２２はＲ信号、Ｌ信号をそれぞれ増幅し、Ｒ信号、Ｌ信号としてＲ端子及びＬ端子に出力するとともに、それぞれ検波回路２４，２６にも出力する。
【００２１】
検波回路２４，２６は、それぞれＲ信号、Ｌ信号のレベルを直流電圧レベルに変換してＣＰＵ２８に出力する。検波回路２４，２６のゲインは、アナログ減衰器１８の回転角を最大、すなわち右いっぱいに回した位置に設定して最大レベルが出力されたときにＣＰＵ２８のＡＤＣの変換データが最大値となるように調整される。
【００２２】
ＣＰＵ２８は、ＡＤＣ内蔵型のＣＰＵであり、検波回路２４，２６及びＶＲ３からの直流電圧信号をデジタルデータに変換する。検波回路２４からの信号はＡＤＣ１でデジタルデータに変換し、検波回路２６からの信号はＡＤＣ２でデジタルデータに変換し、ＶＲ３からの信号はＡＤＣ３でデジタルデータに変換する。ＣＰＵ２８は、これらのデジタルデータを用いて、ＶＲ１、ＶＲ２のボリューム回転角毎の出力特性を検出してメモリ３０に記憶する。そして、ＶＲ１、ＶＲ２の出力特性に基づいて、各回転角毎の相互偏差を算出してメモリ３０に記憶する。メモリ３０は、フラッシュＲＯＭ等不揮発性メモリを用いることができる。相互偏差の算出及びメモリ３０への記憶は、例えば音量調整装置の工場出荷時点で行うことができる。さらに、ＣＰＵ２８は、メモリ３０に記憶された各回転角毎の相互偏差データを用いて、アナログ減衰器１８が操作者により実際に操作されたときのＤＳＰ１０でのデジタル減衰量を調整する。すなわち、ＣＰＵ２８は、メモリ３０に記憶された相互偏差を解消するようにＤＳＰ１０でのＲ信号とＬ信号の減衰量を調整する。例えば、ある回転角θにおいてＬ信号の出力レベルがＲ信号のレベルよりもδｄＢだけ大きい場合、ＣＰＵ２８はＤＳＰ１０に指令してＬ信号のレベルをδｄＢだけ下げるように、すなわちＬ信号の減衰量を増大させるように制御する。これにより、アナログ減衰器１８において相互偏差が生じていても、Ｒ端子及びＬ端子からは相互偏差が補正された高音質の信号が出力されることになる。
【００２３】
図２には、本実施形態の処理フローチャートが示されている。まず、ＣＰＵ２８は、アナログ減衰器１８であるＶＲ１，ＶＲ２の特性曲線を測定する（Ｓ１０１）。具体的には、アナログ減衰器１８を右いっぱいの位置に設定し、ＣＰＵ２８はＤＳＰ１０から最大振幅の正弦波を発生させる。そして、アナログ減衰器１８を右いっぱいの位置から左いっぱいの位置までゆっくりと回し、この間の回転角とＲ信号、Ｌ信号のレベルを検出する。回転角はＶＲ３の出力信号により検出され、Ｒ信号、Ｌ信号のレベルはそれぞれ検波回路２４，２６の出力信号により検出される。検出された回転角とＲ信号、Ｌ信号のレベルとの対応関係はメモリ３０に記憶される（Ｓ１０２）。
【００２４】
なお、ＣＰＵ２８の内蔵ＡＤＣの分解能を８ビットとすると、２５６段階の電圧の読み取りが可能であり、ＡＤＣの変換値はアナログ減衰器１８が左いっぱいのときに０となり、右いっぱいのときに２５５となるのが理想であるが、ＡＤＣの変換レベルには誤差があるためそうなるとは限らない。このため、ＡＤＣの変換誤差が最悪の場合でもＶＲ３の出力電圧がＡＤＣの変換可能範囲内になるようにＶＲ３の両端は抵抗を介してそれぞれ電源とＧＮＤに接地する。また、Ｒ信号、Ｌ信号のレベルの読み取り値もＤＡＣ１２の出力が無音のときに０，ＤＡＣ１２の出力が最大のときに２５５となるのが理想であるが、ＤＡＣ１２の出力レベル誤差、検波回路２４，２６のゲイン誤差、ＡＤＣの変換誤差があるためそうなるとは限らない。このため、これらの誤差の最悪値の組み合わせによっても検波回路２４，２６の出力電圧がＡＤＣの変換可能範囲内となるように検波回路２４，２６に適切なゲインと直流バイアスを印加するのが好適である。
【００２５】
また、Ｒ信号レベルの読み取り（ＡＤＣ１）及びＬ信号レベルの読み取り（ＡＤＣ２）の値は、回転角が小さい範囲（０％〜６０％）では回転角に対する読み取り（ＡＤＣ３）の値の変化が小さく（いわゆるＡカーブ）、曲線の傾きは１／３程度である。したがって、ＡＤＣ１，ＡＤＣ２の読み取り分解能はＡＤＣ３の分解能よりも大きい必要があるが、ＡＤＣ１〜ＡＤＣ３はＣＰＵ２８の内蔵ＡＤＣであり分解能は同一である。この場合、ＡＤＣ３の下位ビットを捨てて分解能を低下させ、相対的にＡＤＣ１、ＡＤＣ２の分解能を上げればよい。ＡＤＣの分解能を８ビットとした場合、ＡＤＣ３は上位６ビットのデータを使用し、ＶＲ３の出力電圧、すなわち回転角を６４段階で読み取る。ＡＤＣ１，ＡＤＣ２では、６４段階の回転角のそれぞれに対応するＲ信号、Ｌ信号のレベルを８ビット、２５６段階で読み取る。この値には各回路の誤差が含まれているため、例えば次のように補正する。
【００２６】
図３には、得られた特性曲線の一例が示されている。アナログ減衰器１８が左いっぱいの位置Ａのときの測定値をＬ、右いっぱいの位置Ｂのときの測定値をＲとする。ここで、誤差によりＬは０ではなく、またＲもフルビットではないものとする。この場合、まず、全測定値からＬを差し引く。この操作により、図４に示されるように全体的にＬだけ下方修正され、左いっぱいの位置Ａのときに０となる曲線が得られる。次に、ＡＤＣのフルビット時の値をＦ（８ビットの場合は２５５）として、全測定値にＦ／（Ｒ−Ｌ）を乗じる。この操作により、図５に示されるように、アナログ減衰器１８が左いっぱいの位置Ａのときに０、右いっぱいの位置Ｂのときにフルビットとなる特性が得られる。ＣＰＵ２８は、以上のような操作を行って特性曲線を補正した後、メモリ３０に再び記憶する。
【００２７】
再び図２に戻り、以上のようにしてＶＲ１の特性曲線（回転角とＲ信号レベルとの対応関係）及びＶＲ２の特性曲線（回転角とＬ信号レベルとの対応関係）をメモリ３０に記憶した後、ＣＰＵ２８はこれらのデータを用いてＲ信号とＬ信号の相互偏差を算出する（Ｓ１０３）。具体的には、回転角毎にＲ信号のレベルとＬ信号のレベルを読み出し、その差分を演算して回転角毎の相互偏差データを算出してメモリ３０に記憶する。相互偏差データδは、例えばδ＝（Ｒ信号レベル）−（Ｌ信号レベル）で定義される。そして、算出した相互偏差δをメモリ３０に記憶する（Ｓ１０４）。
【００２８】
Ｓ１０１〜Ｓ１０４の処理により、相互偏差算出処理が完了する。以上の処理は、例えば工場出荷時に行うことができる。製造ラインの作業者は、調整工程において製品を相互偏差モードに設定する。相互偏差モードの設定は、例えば複数のボタンを押しながら電源をＯＮにする等の特定のコマンド入力により行うことができる。ＣＰＵ２８は、相互偏差モードの設定を認識し、Ｓ１０１〜Ｓ１０４の処理を実行する。
【００２９】
そして、工場出荷後の通常動作において、ユーザがアナログ減衰器１８を操作した場合、ＣＰＵ２８はＡＤＣ３によりアナログ減衰器１８の回転角θを検出する（Ｓ１０５）。そして、メモリ３０にアクセスして検出した回転角θに対応する相互偏差データを読み出し、Ｒ信号とＬ信号の相互偏差を補正すべくＤＳＰ１０に指令する（Ｓ１０６）。すなわち、Ｒ信号とＬ信号のうち、レベルの大きい方の信号のレベルを相互偏差分だけ演算により下げて、Ｒ信号とＬ信号のレベルが等しくなるようにする。相互偏差データが上述のように定義される場合、相互偏差データが＋の場合にはＲ信号のレベルを下げ、相互偏差データが−の場合にはＬ信号のレベルを下げる。
【００３０】
図６及び図７には、相互偏差補正処理が模式的に示されている。図６において横軸は回転角、縦軸はＶＲ出力であり、ＶＲ１からのＲ信号及びＶＲ２からのＬ信号が示され、これらの信号の差分としての相互偏差δが示されている。回転角が６４段階で検出される場合、相互偏差δも各回転角毎に６４個記憶される。図７は、相互偏差δの補正処理が示されており、（Ｒ信号レベル）＜（Ｌ信号レベル）である場合、ＤＳＰ１０においてＬ信号のレベルを相互偏差δだけ低下させる演算を行い、Ｌ信号のレベルをＲ信号のレベルに一致させる。これにより、アナログ減衰器１８からは、レベルの等しいＲ信号とＬ信号が出力されＲ端子とＬ端子から出力される。本実施形態では、ユーザはアナログ減衰器１８のみを操作し、デジタル減衰器は操作していないこと、ＣＰＵ２８によりアナログ減衰器１８の相互誤差を補正している点に注意されたい。
【００３１】
図８には、他の実施形態に係る処理フローチャートが示されている。上述した実施形態では、Ｒ信号とＬ信号のどちらかのレベルを他方のレベルに合わせるように補正することで相互偏差を解消しているが、本実施形態ではＲ信号とＬ信号をともに補正することで相互偏差を解消する。
【００３２】
まず、上述した実施形態におけるＳ１０１，Ｓ１０２と同様にＶＲ１，ＶＲ２の特性曲線を測定し（Ｓ２０１）、特性曲線をメモリ３０に記憶する（Ｓ２０２）。Ｒ信号とＬ信号の特性曲線データをメモリ３０に記憶した後、ＣＰＵ２８はＲ信号、Ｌ信号それぞれの所定の理想曲線からの偏差を算出する（Ｓ２０３）。所定の理想曲線とは、回転角に対するＲ信号とＬ信号の理想的な変化特性であり、予めメモリ３０内に記憶しておく。Ｓ２０３では、回転角毎にＲ信号とＬ信号の実際のレベルと理想レベルとの差分を演算する。具体的には、Ｒ信号の偏差δＲ＝（Ｒ信号のレベル）−（理想レベル）、Ｌ信号の偏差δＬ＝（Ｌ信号のレベル）−（理想レベル）である。Ｒ信号とＬ信号の理想レベルは同一であり、Ｒ信号とＬ信号には一般にレベル差が存在するためδＲ≠δＬである。算出されたδＲ、δＬは回転角毎にメモリ３０に記憶される（Ｓ２０４）。
【００３３】
以上のようにして工場出荷段階で偏差をメモリ３０に記憶した後、通常動作時にユーザがアナログ減衰器１８を操作すると、ＣＰＵ２８はＡＤＣ３により回転角を検出し（Ｓ２０５）、メモリ３０から検出された回転角に対応する偏差δＲ，δＬを読み出してこれらの偏差を解消するようにＤＳＰ１０に指令する（Ｓ２０６）。ＤＳＰ１０では、ＣＰＵ２８からの指令に従い、Ｒ信号に対してはδＲだけレベルを低下させる演算を行い、Ｌ信号に対してδＬだけレベルを低下させる演算を行う。これにより、Ｒ信号、Ｌ信号ともに理想レベルに補正され、かつ、相互偏差も解消されることになる。
【００３４】
図９及び図１０には、以上の処理が模式的に示されている。図９は、Ｒ信号、Ｌ信号それぞれの理想曲線からの偏差である。この場合、ＶＲ１、ＶＲ２とも、予め理想曲線よりもレベルが大きくなるように設計しておくことが好適である。図１０は、相互偏差の補正処理である。Ｒ信号に対してはδＲだけ低下させて理想曲線に一致するように補正し、Ｌ信号に対してはδＬだけ低下させて理想曲線に一致するように補正する。Ｒ信号、Ｌ信号ともに同一の理想曲線に補正されるため、Ｒ信号とＬ信号の相互偏差も解消される。
【００３５】
以上、本発明の実施形態について説明したが、汎用的なアナログ減衰器１８の場合、相互偏差は３ｄＢ以内であるので、相互偏差が最大であってもＤＳＰ１０におけるレベル調整は３ｄＢとなり、品質低下は非常に少ない。また、汎用的なアナログ減衰器１８では、最大減衰量は７０ｄＢ程度であるが、本実施形態では左いっぱいに回した位置Ａにおける出力が０となるようにＤＳＰ１０で補正するので、最大減衰量がほぼ無限大となる効果もある。
【００３６】
また、本実施形態では、回転角毎の相互偏差、あるいは理想曲線からのＲ偏差、Ｌ偏差を算出してメモリ３０に記憶しているが、メモリ３０には単に図５の特性曲線のみを記憶しておき、ユーザが実際にアナログ減衰器１８を操作したときの回転角を検出し、検出した回転角に対応するＲ信号とＬ信号のレベルをそれぞれメモリ３０から読み出して相互偏差を算出し、あるいは理想曲線からの偏差を算出してＤＳＰ１０に指令してもよい。
【００３７】
また、本実施形態では、特性曲線の測定及び記憶は、製品の工場出荷段階において実施するとしているが、製品を購入したユーザが適宜実行できるような構成とすることも可能である。例えば、「偏差校正ボタン」なるボタンを音声調整装置に付加し、当該ボタンからの出力をＣＰＵ２８に供給する構成とする。ユーザが当該ボタンを操作した場合にＣＰＵ２８は偏差測定モードに移行し、例えば液晶ディスプレイに「音声ボリュームを左いっぱいから右いっぱいまでゆっくり回して下さい」等とメッセージを表示してユーザにアナログ減衰器１８の操作を促せばよい。なお、このような機能を備える場合には、アンプ２０，２２の後段であって出力する直前にアナログミュート回路を設けるのが好ましい。フルビットの正弦波を出力する際のスピーカ焼けを防止するためである。
【００３８】
また、本実施形態では、アナログ減衰器１８として３連動型を用いているが、ＶＲ１，ＶＲ２が連動する２連動型とし、回転角は別のセンサで検出する構成としてもよい。
【００３９】
さらに、特性曲線の測定及び記憶をユーザ側で行わず、工場出荷段階においてのみ実施する場合、検波回路２４，２６は調整用治具で用意すればよく、音量調整装置に搭載する必要はない。
【００４０】
【発明の効果】
以上説明したように、本発明では、汎用的なアナログ減衰器を用いた場合でも、相互偏差を抑制して高音質の出力を得ることができる。
【図面の簡単な説明】
【図１】実施形態の回路構成図である。
【図２】実施形態の処理フローチャートである。
【図３】実施形態の特性曲線の補正説明図（その１）である。
【図４】実施形態の特性曲線の補正説明図（その２）である。
【図５】実施形態の特性曲線の補正説明図（その３）である。
【図６】実施形態の相互偏差説明図である。
【図７】実施形態の相互偏差補正説明図である。
【図８】他の実施形態の処理フローチャートである。
【図９】他の実施形態の偏差説明図である。
【図１０】他の実施形態の相互偏差補正説明図である。
【符号の説明】
１０  ＤＳＰ（デジタルシグナルプロセッサ）、１２  ＤＡＣ（デジタルアナログコンバータ）、１４  ローパスフィルタ、１６  ローパスフィルタ、１８  アナログ減衰器、２４  検波回路、２６  検波回路、２８  ＣＰＵ、３０  メモリ。
【図１】
2004221711.tif 000003
【図２】
2004221711.tif 000004
【図３】
2004221711.tif 000005
【図４】
2004221711.tif 000006
【図５】
2004221711.tif 000007
【図６】
2004221711.tif 000008
【図７】
2004221711.tif 000009
【図８】
2004221711.tif 000010
【図９】
2004221711.tif 000011
【図１０】
2004221711.tif 000012